(57)【要約】【課題】装置の低コスト化を図る。【解決手段】本実施形態に係る脱臭装置は、一端に設けられた第１の吸気口と他端に設けられた排気口とに通じる第１の流路、及び第１の流路から分岐し、第２の吸気口と連絡する第２の流路を備える第１ハウジングと、第２の流路の内部に第２の流路に平行に配置され、光触媒が添加された複数のシートと、を備える第１の脱臭ユニットと、第１の脱臭ユニットの他端に取り付けられる第２ハウジングと、第２ハウジングに収容され、第１の排気口を介して流路の空気を吸気し、給気した空気を外部へ排気する送風ファンと、を備える排気ユニットと、を備え、第１の脱臭ユニットの一端に、第１の脱臭ユニットとは異なる第２の脱臭ユニットの他端が接続されることで、第１の脱臭ユニットの第１の流路と、第２の脱臭ユニットの第１の流路とが連絡する。【選択図】図１３
2019024548.tif 000002
【特許請求の範囲】
【請求項１】
空気の脱臭を行う脱臭ユニットであって、
一端に設けられた第１の吸気口と他端に設けられた排気口とに通じる第１の流路と、及び前記第１の流路から分岐し、第２の吸気口と連絡する第２の流路を備える第１ハウジングと、
前記第２の流路の内部に前記第２の流路に平行に配置され、光触媒が添加された複数のシートと、
を備え、
前記脱臭ユニットの一端に、前記脱臭ユニットとは異なる他の前記脱臭ユニットの他端が接続されることで、前記脱臭ユニットの前記第１の流路と、前記他の脱臭ユニットの前記第１の流路とが連絡する脱臭ユニット。
【請求項２】
前記第２の流路に配置され、前記シートに光を照射する光源を備える請求項１に記載の脱臭ユニット。
【請求項３】
前記光源は、前記シートの間に配置される基板と、前記基板の表裏面に実装される複数の発光素子を有する請求項２に記載の脱臭ユニット。
【請求項４】
一端に設けられた第１の吸気口と他端に設けられた排気口とに通じる第１の流路、及び前記第１の流路から分岐し、第２の吸気口と連絡する第２の流路を備える第１ハウジングと、前記第２の流路の内部に前記第２の流路に平行に配置され、光触媒が添加された複数のシートと、を備える第１の脱臭ユニットと、
前記第１の脱臭ユニットの他端に取り付けられる第２ハウジングと、前記第２ハウジングに収容され、前記第１の排気口を介して前記流路の空気を吸気し、給気した空気を外部へ排気する送風ファンと、を備える排気ユニットと、
を備え、
前記第１の脱臭ユニットの一端に、前記第１の脱臭ユニットとは異なる第２の脱臭ユニットの他端が接続されることで、前記第１の脱臭ユニットの前記第１の流路と、前記第２の脱臭ユニットの前記第１の流路とが連絡する脱臭装置。
【請求項５】
前記第２の流路に配置され、前記シートに光を照射する光源を備える請求項４に記載の脱臭装置。
【請求項６】
前記光源は、前記シートの間に配置される基板と、前記基板の表裏面に実装される複数の発光素子を有する請求項５に記載の脱臭装置。
【請求項７】
前記脱臭ユニットの他端に接続され、前記脱臭ユニットの前記第１の流路の吸気口を塞ぐ第３ハウジングと、前記第３ハウジングに収容され、前記送風ファンと前記光源を駆動する電源と、を備える電源ユニットを備える請求項５又は６に記載の脱臭装置。
【請求項８】
前記送風ファンと前記光源は、前記第１の流路に敷設された配線によって、前記電源に接続される請求項７に記載の脱臭装置。
【請求項９】
前記第１の脱臭ユニットに接続される前記第２の脱臭ユニットを備える請求項４乃至８のいずれか一項に記載の脱臭装置。
【発明の詳細な説明】
【技術分野】
【０００１】
本発明は、脱臭ユニット及び脱臭装置に関する。
【背景技術】
【０００２】
光触媒は、光をあてることで臭気の元となる原因物質を分解する。また、原因物質を吸着する活性炭などとは異なり、光をあてるだけでその効果が永続する。そのため、光触媒は、脱臭装置や空気清浄器などによく用いられている（例えば特許文献１参照）。
【０００３】
従来の脱臭装置は、光触媒が添加されたガラス繊維などからなる脱臭シートを、脱臭対象となる空気が通過する構造となっている。そのため、脱臭装置を長時間使用すると、脱臭シートに目詰まりが発生し、空気の圧力損失が時間に伴って大きくなる。したがって、光触媒がほとんどメンテナンスを必要としないにもかかわらず、装置自体の定期的なメンテナンスが必要になる。
【０００４】
また、この種の脱臭装置は、一般には、脱臭効率が装置の体積に比例する。このため、脱臭装置を設置する場合には、設置場所や用途に応じた大きさの脱臭装置を選択する必要があった。
【先行技術文献】
【特許文献】
【０００５】
【特許文献１】特開２００９−２２６３５１号公報
【発明の概要】
【発明が解決しようとする課題】
【０００６】
上述したように、脱臭装置は、設置場所等に応じた大きさのものが選択される。しかしながら、大きさの異なる装置を迅速に供給するためには、サプライヤーは、事前に大きさの異なる装置を在庫として持っておく必要がある。しかしながら、この場合には、装置の供給コストが増加し、結果的に装置の販売価格が増加する。
【０００７】
本発明は、上述の事情の下になされたもので、装置の低コスト化を図ることを課題とする。
【課題を解決するための手段】
【０００８】
上記課題を解決するため、本実施形態に係る脱臭装置は、一端に設けられた第１の吸気口と他端に設けられた排気口とに通じる第１の流路、及び第１の流路から分岐し、第２の吸気口と連絡する第２の流路を備える第１ハウジングと、第２の流路の内部に第２の流路に平行に配置され、光触媒が添加された複数のシートと、を備える第１の脱臭ユニットと、第１の脱臭ユニットの他端に取り付けられる第２ハウジングと、第２ハウジングに収容され、第１の排気口を介して流路の空気を吸気し、給気した空気を外部へ排気する送風ファンと、を備える排気ユニットと、を備え、第１の脱臭ユニットの一端に、第１の脱臭ユニットとは異なる第２の脱臭ユニットの他端が接続されることで、第１の脱臭ユニットの第１の流路と、第２の脱臭ユニットの第１の流路とが連絡する。
【図面の簡単な説明】
【０００９】
【図１】本実施形態に係る脱臭装置の斜視図である。
【図２】脱臭装置のＹＺ断面を示す図である。
【図３】排気ユニットを構成するハウジングの展開斜視図である。
【図４】脱臭ユニットの斜視図である。
【図５】脱臭ユニットの展開斜視図である。
【図６】脱臭パネルの斜視図である。
【図７】脱臭パネルの展開斜視図である。
【図８】照明ユニットの斜視図である。
【図９】照明ユニットと脱臭パネルの配置を示す図である。
【図１０】電源ユニットを構成するハウジングの展開斜視図である。
【図１１】脱臭装置の配線図である。
【図１２】複数の脱臭ユニットを備える脱臭装置の斜視図である。
【図１３】複数の脱臭ユニットを備える脱臭装置のＹＺ断面を示す図である。
【図１４】脱臭装置の変形例を示す図である。
【図１５】脱臭装置の変形例を示す図である。
【発明を実施するための形態】
【００１０】
以下、本実施形態を、図面を用いて説明する。説明にあたっては、相互に直行するＸ軸、Ｙ軸、Ｚ軸からなるＸＹＺ座標系を適宜用いる。
【００１１】
図１は、本実施形態に係る脱臭装置１０の斜視図である。脱臭装置１０は、光触媒を用いて、人体に有害な物質や、臭気の原因となる物質を分解する装置である。図１に示されるように、脱臭装置１０は、排気ユニット２０、脱臭ユニット３０、及び電源ユニット４０を備えている。
【００１２】
図２は、脱臭装置１０のＹＺ断面を示す図である。図２に示されるように、排気ユニット２０は、ハウジング２１と、ハウジング２１に収容される送風ファン２４を備えている。
【００１３】
図３は、排気ユニット２０を構成するハウジング２１の展開斜視図である。図２に示されるように、ハウジング２１は、長手方向をＸ軸方向とする直方体状のケース２１１と、長手方向をＸ軸方向とする長方形板状のカバー２１２を有する。
【００１４】
ケース２１１は、＋Ｙ側が開放された容体である。ケース２１１の下面２１１ａは、Ｙ軸方向の幅が、ケース２１１の上面の幅の半分程度になるように整形されている。また、図１を参照するとわかるように、ケース２１１の−Ｙ側の面には、Ｘ軸方向に隣接する２つの排気口２２が形成されている。排気口２２それぞれは、Ｘ軸に平行でケース２１１の壁面を貫通する複数のスリットからなる。ケース２１１は、例えばプラスチックなどの樹脂を射出成型することにより形成することができる。
【００１５】
図３に示されるように、カバー２１２は、Ｙ軸方向及びＺ軸方向の寸法がケース２１１の寸法と等しい部材である。ケース２１１と同様に、カバー２１２も樹脂からなる。カバー２１２は、例えば、ネジ等によって、ケース２１１の＋Ｙ側端部に固定される。これによって、ケース２１１とカバー２１２からなるハウジング２１が構成される。図２に示されるように、ハウジング２１は、下面の＋Ｙ側に、長手方向をＸ軸方向とする長方形の開口２３が形成されたケーシングとなる。この開口２３は、ハウジング２１へ空気を取り込む吸気口として機能する。
【００１６】
ハウジング２１の内部には２つの送風ファン２４が配置される。送風ファン２４は、Ｙ軸に平行な軸を中心に回転する複数の羽を備えるプロペラファンである。送風ファン２４は、図２に示されるように、ケース２１１に形成された２つの排気口２２にそれぞれ重なるように、ケース２１１の内壁面に固定される。送風ファン２４は、電源ユニット４０から供給されるパワーによって回転する。送風ファン２４が回転すると、ハウジング２１の内部の空気が、排気口２２から排気される。
【００１７】
図４は、図１における脱臭ユニット３０を背面（＋Ｙ側）から見たときの斜視図である。図４に示されるように、脱臭ユニット３０は、ハウジング３１と、ハウジング３１に収容される脱臭パネル３６及び照明ユニット３７を有している。
【００１８】
図５は、脱臭ユニット３０の展開斜視図である。図５に示されるように、ハウジング３１は、直方体状のケース３１１と、長方形板状のカバー３１２を有する。
【００１９】
ケース３１１は、ＸＹ断面がＵ字状の側面部３２と、側面部３２の内部に設けられる隔壁３４を有する。側面部３２は、ＸＺ面に平行な主面３２ａと、主面３２ａに直交する側面３２ｂからなる。
【００２０】
隔壁３４は、側面部３２の主面３２ａに平行になった状態で、側面３２ｂに支持されている。隔壁３４の高さ（Ｚ軸方向の寸法）は、側面部３２の高さより低い。隔壁３４は、隔壁３４の下端が側面部３２の下端に一致した状態で、側面３２ｂに固定されている。
【００２１】
隔壁３４の−Ｙ側には、Ｚ軸方向を長手方向とする複数の溝３４ａが、Ｘ軸に沿って等間隔に形成されている。また、主面３２ａの＋Ｙ側には、隔壁３４に向かって突出する凸部３３が形成されている。この凸部３３には、Ｚ軸方向を長手方向とする複数の溝３３ａが、Ｘ軸に沿って等間隔に形成されている。隔壁３４の溝３４ａと、凸部３３の溝３３ａとは、Ｘ軸方向の位置が相互に等しく、Ｙ軸方向に相互に対向するように配置されている。図２に示されるように、凸部３３の溝３３ａと隔壁３４の溝３４ａそれぞれの下端は、開口３２ｄよりやや＋Ｚ側に位置している。
【００２２】
図１に示されるように、ケース３１１を構成する主面３２ａの下端部には、主面３２ａを貫通する複数の開口３２ｄが形成されている。開口３２ｄは、長手方向をＸ軸方向とする長方形に整形されており、３行７列のマトリクス状に配置されている。
【００２３】
図２に示されるように、ケース３１１の内部は、隔壁３４によって、＋Ｙ側の空間Ｒ１と、−Ｙ側の空間Ｒ２に区分される。ケース３１１では、空間Ｒ１が、上下方向が開放された空間となり、空間Ｒ２が、上方が開放されるとともに底壁３５によって下方が塞がれた空間となっている。空間Ｒ１と空間Ｒ２は、隔壁３４の上方でつながっている。空間Ｒ１は下方から上方へ流れる空気の流路として機能し、空間Ｒ２は、開口３２ｄから上方へ流れる空気の流路として機能する。また、隔壁３４の下端とカバー３１２の下端によって、空間Ｒ１へ空気が流れ込む吸気口が形成され、隔壁３４の上端とカバー３１２の上端によって、空間Ｒ１から空気を排出するための排気口が形成される。
【００２４】
上述のように構成されるケース３１１は、例えばプラスチックなどの樹脂を射出成型することにより形成することができる。
【００２５】
図５に示されるように、カバー３１２は、Ｙ軸方向及びＺ軸方向の寸法がケース３１１の寸法と等しい部材である。ケース３１１と同様に、カバー３１２も樹脂からなる。カバー３１２は、例えば、ネジ等によって、ケース３１１を構成する側面３２ｂの＋Ｙ側端部に固定される。これによって、ケース２１１とカバー２１２からなるハウジング２１が構成される。
【００２６】
図６は、脱臭パネル３６の斜視図である。また、図７は、脱臭パネル３６の展開斜視図である。脱臭パネル３６は、長手方向をＺ軸方向とする部材である。脱臭パネル３６は、脱臭シート３６２と、脱臭シート３６２を両面から支持する１組のフレーム３６１を備える。
【００２７】
脱臭シート３６２は、例えば編みこまれたガラス繊維を素材とし、長手方向をＺ軸方向とする長方形のシートである。ガラス繊維には、光触媒としての酸化チタンが添加されている。光触媒としては、酸化チタンの他、例えば、酸化錫、酸化亜鉛、三酸化タングステン、チタン酸ストロンチウム、酸化鉄、酸化ビスマスなどの金属酸化物等を用いることができる。
【００２８】
フレーム３６１は、脱臭シート３６２よりもサイズがやや大きい長方形の部材である。フレーム３６１は、厚みが０．５ｍｍ程度であり、例えばプラスチックなどの樹脂からなる。フレーム３６１には、３行２列のマトリクス状に配置される６つの開口３６１ａが形成されている。開口３６１ａは、長手方向をＺ軸方向とする長方形の開口である。フレーム３６１では、大部分の領域が開口３６１ａとなっている。
【００２９】
上述した脱臭シート３６２及び１組のフレーム３６１は、脱臭シート３６２をフレーム３６１で挟んだ状態で、フレーム３６１同士を固定することで一体化される。脱臭シート３６２及び１組のフレーム３６１からなる脱臭パネル３６では、脱臭シート３６２の大部分が、フレーム３６１の開口３６１ａから露出した状態になっている。
【００３０】
図８は、照明ユニット３７の斜視図である。照明ユニット３７は、基板３７１と基板３７１に実装される発光素子３７２から構成される。
【００３１】
基板３７１は、長手方向をＺ軸方向とする長方形の基板である。基板３７１は、例えばガラス繊維にエポキシ樹脂を含浸させることにより形成されたリジット配線基板である。基板３７１の表裏面には、電気回路が形成されるとともに、発光素子３７２が実装されている。基板３７１は、発光素子３７２からの光に対する透過率が高いことが好ましい。
【００３２】
発光素子３７２は、基板３７１の表裏面にＺ軸に沿って等間隔に配列されている。発光素子３７２は、正方形板状のＬＥＤチップであり、基板３７１に直交する方向へ光を射出する。照明ユニット３７は、電源ユニット４０から供給されるパワーによって発光する。発光素子３７２からは、紫外光を含む光が射出される。
【００３３】
上述した脱臭パネル３６、及び照明ユニット３７は、図５に示されるように、ケース３１１の主面３２ａと隔壁３４の間の空間Ｒ２に配置される。脱臭パネル３６、及び照明ユニット３７をケース３１１に配置するときには、脱臭パネル３６及び照明ユニット３７のＹ軸方向の外縁部を、主面３２ａの凸部３３に形成された溝３３ａと、隔壁３４に形成された溝３４ａに挿入する。これにより、図４に示されるように、脱臭パネル３６及び照明ユニット３７が、主面３２ａ及び隔壁３４に直交した状態で、Ｘ軸に沿って等間隔に配置される。また、脱臭ユニット３０では、照明ユニット３７が、２つの脱臭パネル３６の間に位置するように、照明ユニット３７と脱臭パネル３６が配置される。
【００３４】
図９は、脱臭パネル３６と照明ユニット３７の配置を示す図である。図９に示されるように、照明ユニット３７と脱臭パネル３６は、ケース３１１に設けられた開口３２ｄの上端（＋Ｚ側端）近傍から、ケース３１１の上部にわたって配置される。
【００３５】
図２に示されるように、電源ユニット４０は、ハウジング４１と、ハウジング４１に収容される電源装置４２を備えている。
【００３６】
図１０は、電源ユニット４０を構成するハウジング４１の展開斜視図である。図１０に示されるように、ハウジング４１は、長手方向をＸ軸方向とする直方体状のケース４１１と、長手方向をＸ軸方向とする長方形板状のカバー４１２を有する。
【００３７】
ケース４１１は、＋Ｚ側が開放された容体である。ケース４１１は、例えばプラスチックなどの樹脂を射出成型することにより形成することができる。また、カバー４１２は、Ｘ軸方向及びＹ軸方向の寸法がケース４１１の寸法と等しい部材である。ケース４１１と同様に、カバー４１２も樹脂からなる。カバー４１２は、例えば、ネジ等によって、ケース４１１の＋Ｚ側端部に固定される。これによって、ケース４１１とカバー４１２からなるハウジング４１が構成される。
【００３８】
図２示される電源装置４２は、商用の電源に接続され、交流電圧を直流電圧に変換する。そして、送風ファン２４や、照明ユニット３７の発光素子３７２に直流電圧を印加する。これにより、送風ファン２４及び発光素子３７２が駆動される。また、電源装置４２は、送風ファン２４のモータに印加する電圧を調整するための送風ファン制御回路４２０を備えている。送風ファン制御回路４２０は、ユーザかの入力に応じた電圧Ｖｏｕｔを出力する。ユーザからの入力は、例えば可変抵抗などを介して入力することが考えられる。
【００３９】
上述のように構成される排気ユニット２０、脱臭ユニット３０、及び電源ユニット４０は、図２に示されるように、電源ユニット４０の上に脱臭ユニット３０を搭載し、脱臭ユニット３０の上に排気ユニット２０を搭載することで、一体化される。電源ユニット４０と脱臭ユニット３０とを一体化する場合には、電源ユニット４０の上面に、脱臭ユニット３０の下端を、例えばネジ等を用いて固定する。この状態にときには、脱臭ユニット３０の空間Ｒ１の下端は、電源ユニット４０のカバー４１２によって閉塞される。また、脱臭ユニット３０と排気ユニット２０とを一体化する場合には、脱臭ユニット３０の上端に、排気ユニット２０の下端を、例えばネジ等を用いて固定する。
【００４０】
排気ユニット２０、脱臭ユニット３０、及び電源ユニット４０が一体化されたときには、脱臭ユニット３０の空間Ｒ１，Ｒ２は、排気ユニット２０のハウジング２１に形成された開口２３を介して、ハウジング２１の内部空間と通じた状態になる。
【００４１】
また、電源ユニット４０の電源装置４２と、送風ファン２４及び照明ユニット３７は、配線４３によって接続される。配線４３は、ハウジング３１の空間Ｒ１を介して、ハウジング４１の内部に引き込まれる。配線４３は、ハウジング２１，３１の内壁面に沿って敷設される。
【００４２】
図１１は、脱臭装置１０の配線図である。図１１に示されるように、電源装置４２に対して、各照明ユニット３７の発光素子３７２は並列に接続される。また、各送風ファン２４は、送風ファン制御回路４２０に並列に接続される。
【００４３】
次に、上述のように構成される脱臭装置１０の動作について説明する。脱臭装置１０は、不図示のスイッチがオンになると、電源装置４２によって、照明ユニット３７の発光素子３７２に電圧が印加される。これにより、発光素子３７２が発光し、脱臭パネル３６が照明される。また、送風ファン制御回路４２０によって、ユーザからの入力に応じた電圧Ｖｏｕｔが、送風ファン２４に印加される。これにより、送風ファン２４が、電圧Ｖｏｕｔの大きさに応じた回転数で回転する。
【００４４】
送風ファン２４が回転すると、図２の矢印に示されるように、脱臭ユニット３０に設けられた開口３２ｄから空気が吸気され、空間Ｒ２を排気ユニット２０に向かって流れる。空間Ｒ２を流れる空気に含まれる人体に有害な物質や、臭気の原因となる物質は、空気が脱臭パネル３６を構成する脱臭シート３６２に沿って流れる間に、脱臭シート３６２との間の光化学反応によって分解される。また、空気に含まれる病原菌やウイルスも、光化学反応によって発生する活性酸素によって不活性化される。これにより、空気に対する脱臭及び除菌が行われる。空間Ｒ２を流れる空気は、排気ユニット２０を構成するハウジング２１の開口２３を介して、ハウジング２１の内部に至る。そして、排気口２２から外部へ排気される。以上のように脱臭装置１０が運転されているときには、脱臭装置１０が配置された空間において、連続的に空気の脱臭及び除菌が行われる。
【００４５】
また、脱臭装置１０では、必要に応じて脱臭ユニット３０の数を増やすことができる。例えば、図１２に示される例では、排気ユニット２０と電源ユニット４０の間に、３つの脱臭ユニット３０１〜３０３が配置されている。脱臭ユニット３０１〜３０３では、例えば、脱臭ユニット３０１のハウジング３１の下端と、脱臭ユニット３０２のハウジング３１の上端とが固定される。そして、脱臭ユニット３０２のハウジング３１の下端と、脱臭ユニット３０３のハウジング３１の上端とが固定される。
【００４６】
図１３は、３つの脱臭ユニット３０１〜３０３を有する脱臭装置１０のＹＺ断面を示す図である。図１３に示されるように、脱臭ユニット３０１〜３０３の空間Ｒ１は相互に連通した状態になる。そのため、送風ファン２４が回転すると、図１３の矢印に示されるように、各脱臭ユニット３０１〜３０３に設けられた開口３２ｄから空気が吸気され、空間Ｒ２を排気ユニット２０に向かって流れる。空間Ｒ２を流れる空気に含まれる人体に有害な物質や、臭気の原因となる物質は、空気が脱臭パネル３６を構成する脱臭シート３６２に沿って流れる間に、脱臭シート３６２との間の光化学反応によって分解される。また、空気に含まれる病原菌やウイルスも、光化学反応によって発生する活性酸素によって不活性化される。これにより、空気に対する脱臭及び除菌が行われる。
【００４７】
脱臭ユニット３０１の空間Ｒ２を流れる空気は、排気ユニット２０のハウジング２１の開口２３を介して、ハウジング２１の内部に至る。また、脱臭ユニット３０２の空間Ｒ２を流れる空気は、脱臭ユニット３０１の空間Ｒ１を介して、ハウジング２１の内部に至る。同様に、脱臭ユニット３０３の空間Ｒ２を流れる空気は、脱臭ユニット３０２，３０１それぞれの空間Ｒ１を介して、ハウジング２１の内部に至る。ハウジング２１の内部に到達した空気は、排気口２２から排気される。
【００４８】
以上説明したように、本実施形態では、脱臭装置１０が、複数のユニットから構成されている。具体的には、脱臭装置１０が、排気ユニット２０、脱臭ユニット３０、電源ユニット４０から構成されている。このため、脱臭ユニット３０の数を増減させることで、脱臭装置１０の能力を調整することができる。そのため、脱臭ユニット３０を在庫として持っておくことで、顧客の要求する能力の脱臭装置１０を、迅速かつ容易に供給することが可能となる。また、脱臭ユニット３０を共通の部品として用いて能力の異なる脱臭装置１０を構成することができるので、能力に応じた脱臭装置を別途製造する場合に比較して、装置の製造コストを削減することができる。
【００４９】
本実施形態では、電源装置４２を構成する送風ファン制御回路４２０が、ユーザからの入力に応じたパワーを送風ファン２４に供給する。これにより、脱臭装置１０を構成する脱臭ユニット３０の数に最適な回転数で、送風ファン２４を回転させることができる。このため、効率的な脱臭が可能となる。
【００５０】
本実施形態に係る脱臭装置１０では、脱臭パネル３６及び照明ユニット３７は、空気の流れる方向に平行になるように配置される。このため、流路を流れる空気の圧力損失が発生しない。したがって、送風ファン２４として定格容量が小さいものを用いることができる。
【００５１】
具体的には、空気がフィルタを透過することによって、空気に含まれる原因物質を除去する場合には、フィルタを空気が透過することにより生じる圧力損失が大きくなる。しかしながら、本実施形態に係る脱臭装置１０は、フィルタに空気を透過させることなく、空気を脱臭パネル３６に平行に流しながら、脱臭及び除菌を行う。このため、脱臭ユニット３０を空気が流れるときの圧力損失がほとんどなく、容量の小さい送風ファン２４を用いることができる。
【００５２】
以上、本発明の実施形態について説明したが、本発明は上記実施形態によって限定されるものではない。例えば、上記実施形態では、ネジ等によって、排気ユニット２０、脱臭ユニット３０、及び電源ユニット４０を一体化することとした。これに限らず、各ユニットのハウジングを、機械的に相互に嵌合可能な構造とすることとしてもよい。
【００５３】
図１４は、相互に嵌合可能に構成されたハウジング２１，３１，４１を示す図である。ハウジング２１，３１は、下方に突出するフレーム状の凸部２１ａ，３１ａを備えている。また、ハウジング４１は、上面に凹部４１ａが形成されている。
【００５４】
ハウジング２１の凸部２１ａは、ハウジング２１の下面外縁に沿って形成され、ハウジング３１の上端部に嵌合するようになっている。同様に、ハウジング３１の凸部３１ａは、ハウジング３１の下面外縁に沿って形成され、ハウジング３１の上端部、及びハウジング４１の凹部４１ａに嵌合するようになっている。
【００５５】
上述のように構成されるハウジング３１，４１は、一例として図１５に示されるように、ハウジング４１の凹部４１ａにハウジング３１の凸部３１ａを嵌合させることで、一体化する。また、ハウジング３１同士は、ハウジング３１の上端部に、別のハウジング３１の凸部３１ａを嵌合させることで、一体化する。同様に、ハウジング２１，３１は、ハウジング３１の上端部に、ハウジング２１の凸部２１ａを嵌合させることで、一体化する。
【００５６】
各ユニットのハウジング２１，３１，４１を嵌め合い構造とすることで、各ユニットを容易に一体化することが可能となる。この状態で、各ユニット同士をネジ等によって固定してもよい。
【００５７】
上記実施形態では、脱臭装置１０が、２つの送風ファン２４を備えている場合について説明した。これに限らず、脱臭装置１０は１つ、或いは３つ以上の送風ファン２４を備えていてもよい。
【００５８】
上記実施形態では、送風ファン２４がプロペラファンである場合について説明した。これに限らず、送風ファン２４は、プロペラファン以外の、例えばシロッコファン等であってもよい。
【００５９】
上記実施形態では、照明ユニット３７の発光素子３７２がＬＥＤチップであることとした。これに限らず、発光素子３７２は、発光ダイオード等の光源であってもよい。
【００６０】
上記実施形態では、基板３７１の表面に８個の発光素子３７２が一列に配置されている場合について説明した。発光素子３７２の個数や配置は特に限定されるものではない。
【００６１】
本発明の実施形態を説明したが、上記実施形態は、例として提示したものであり、発明の範囲を限定することは意図していない。これら新規な実施形態は、その他の様々な形態で実施しうるものであり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００６２】
１０  脱臭装置
２０  排気ユニット
２１  ハウジング
２１ａ  凸部
２２  排気口
２３  開口
２４  送風ファン
３０  脱臭ユニット
３１  ハウジング
３１ａ  凸部
３２  側面部
３２ａ  主面
３２ｂ  側面
３２ｄ  開口
３３  凸部
３３ａ  溝
３４  隔壁
３４ａ  溝
３５  底壁
３６  脱臭パネル
３７  照明ユニット
４０  電源ユニット
４１  ハウジング
４１ａ  凹部
４２  電源装置
４３  配線
２１１  ケース
２１１ａ  下面
２１２  カバー
３１１  ケース
３１２  カバー
３６１  フレーム
３６１ａ  開口
３６２  脱臭シート
３７１  基板
３７２  発光素子
４１１  ケース
４１２  カバー
４２０  送風ファン制御回路
【図１】
2019024548.tif 000003
【図２】
2019024548.tif 000004
【図３】
2019024548.tif 000005
【図４】
2019024548.tif 000006
【図５】
2019024548.tif 000007
【図６】
2019024548.tif 000008
【図７】
2019024548.tif 000009
【図８】
2019024548.tif 000010
【図９】
2019024548.tif 000011
【図１０】
2019024548.tif 000012
【図１１】
2019024548.tif 000013
【図１２】
2019024548.tif 000014
【図１３】
2019024548.tif 000015
【図１４】
2019024548.tif 000016
【図１５】
2019024548.tif 000017